(57)【特許請求の範囲】
【請求項１】
サーバとクライアント端末がネットワークを介して接続される復旧支援システムにおいて、
前記サーバは、
本支管のガス導管の埋設深さ情報、埋設年月および管種と、前記本支管を一意に特定するための本支管識別情報とを含む本支管のガス導管データ、供給管のガス導管の埋設深さ情報、埋設年月および管種と、前記供給管に接続されている前記本支管に係る前記本支管識別情報と、前記供給管を一意に特定するための供給管識別情報とを含む供給管のガス導管データ、標高値を含む標高データ、ならびに顧客にガスを供給している前記供給管に係る前記供給管識別情報と、前記顧客のガスメータの稼働状況を示す顧客メータ稼働状況情報とを含む顧客データを記憶する記憶手段と、
前記記憶手段に記憶されている前記本支管のガス導管データ、前記供給管のガス導管データおよび前記標高データに基づいて、前記ガス導管の標高値を算出する算出手段と
を備え、
前記クライアント端末は、
前記サーバの前記記憶手段から受信した前記本支管のガス導管データおよび前記供給管のガス導管データに基づいて、ガス管経路の表示を制御する第１の表示制御手段と、
前記ガス管経路の表示上で所定の区間を指定するとともに、前記本支管および前記供給管のガス導管の抽出条件を入力する入力手段と、
前記入力手段により所定の区間が指定された場合、指定された所定の区間を通る最短経路上における前記本支管および前記供給管のガス導管の標高値を前記サーバから受信し、前記本支管および前記供給管のガス導管の標高値の縦断面図上における表示を制御する第２の表示制御手段と、
前記入力手段により前記抽出条件が入力された場合、前記サーバから受信した前記本支管のガス導管データおよび前記供給管のガス導管データの中から、前記抽出条件に合致するデータを抽出する抽出手段と
を備え、
前記クライアント端末の第１の表示制御手段は、更に、前記抽出手段により抽出された前記ガス導管データに基づいて、前記ガス管経路の表示上に、特定の管に関する情報を強調表示し、
前記クライアント端末の第２の表示制御手段は、更に、前記サーバから前記顧客データおよび前記供給管のガス導管データを受信し、前記本支管および前記供給管のガス導管の標高値の縦断面図上に、ガス供給停止箇所に係る前記供給管と、他の前記本支管と交わる地点とを識別可能に重畳表示することを特徴とする復旧支援システム。
【請求項２】
サーバとクライアント端末がネットワークを介して接続される復旧支援システムの復旧支援方法において、
前記サーバは、
本支管のガス導管の埋設深さ情報、埋設年月および管種と、前記本支管を一意に特定するための本支管識別情報とを含む本支管のガス導管データ、供給管のガス導管の埋設深さ情報、埋設年月および管種と、前記供給管に接続されている前記本支管に係る前記本支管識別情報と、前記供給管を一意に特定するための供給管識別情報とを含む供給管のガス導管データ、標高値を含む標高データ、ならびに顧客にガスを供給している前記供給管に係る前記供給管識別情報と、前記顧客のガスメータの稼働状況を示す顧客メータ稼働状況情報とを含む顧客データを記憶する記憶ステップと、
前記記憶ステップで記憶された前記本支管のガス導管データ、前記供給管のガス導管データおよび前記標高データに基づいて、前記ガス導管の標高値を算出する算出ステップと
を含み、
前記クライアント端末は、
前記サーバから受信した前記本支管のガス導管データおよび前記供給管のガス導管データに基づいて、ガス管経路の表示を制御する第１の表示制御ステップと、
前記ガス管経路の表示上で所定の区間を指定するとともに、前記本支管および前記供給管のガス導管の抽出条件を入力する入力ステップと、
前記入力ステップにより所定の区間が指定された場合、指定された所定の区間を通る最短経路上における前記本支管および前記供給管のガス導管の標高値を前記サーバから受信し、前記本支管および前記供給管のガス導管の標高値の縦断面図上における表示を制御する第２の表示制御ステップと、
前記入力ステップにより前記抽出条件が入力された場合、前記サーバから受信した前記本支管のガス導管データおよび前記供給管のガス導管データの中から、前記抽出条件に合致するデータを抽出する抽出ステップと
を含み、
前記クライアント端末の第１の表示制御ステップは、更に、前記抽出ステップにより抽出された前記ガス導管データに基づいて、前記ガス管経路の表示上に、特定の管に関する情報を強調表示し、
前記クライアント端末の第２の表示制御ステップは、更に、前記サーバから前記顧客データおよび前記供給管のガス導管データを受信し、前記本支管および前記供給管のガス導管の標高値の縦断面図上に、ガス供給停止箇所に係る前記供給管と、他の前記本支管と交わる地点とを識別可能に重畳表示することを特徴とする復旧支援方法。
【請求項３】
本支管のガス導管の埋設深さ情報、埋設年月および管種と、前記本支管を一意に特定するための本支管識別情報とを含む本支管のガス導管データ、供給管のガス導管の埋設深さ情報、埋設年月および管種と、前記供給管に接続されている前記本支管に係る前記本支管識別情報と、前記供給管を一意に特定するための供給管識別情報とを含む供給管のガス導管データ、標高値を含む標高データ、ならびに顧客にガスを供給している前記供給管に係る前記供給管識別情報と、前記顧客のガスメータの稼働状況を示す顧客メータ稼働状況情報とを含む顧客データを記憶する記憶手段と、
前記記憶手段に記憶されている前記本支管のガス導管データ、前記供給管のガス導管データおよび前記標高データに基づいて、前記ガス導管の標高値を算出する算出手段と、
前記記憶手段から読み出した前記本支管のガス導管データおよび前記供給管のガス導管データに基づいて、ガス管経路の表示を制御する第１の表示制御手段と、
前記ガス管経路の表示上で所定の区間を指定するとともに、前記本支管および前記供給管のガス導管の抽出条件を入力する入力手段と、
前記入力手段により所定の区間が指定された場合、指定された所定の区間を通る最短経路上における前記本支管および前記供給管のガス導管の標高値を前記記憶手段から読み出し、前記本支管および前記供給管のガス導管の標高値の縦断面図上における表示を制御する第２の表示制御手段と、
前記入力手段により前記抽出条件が入力された場合、前記記憶手段から読み出した前記本支管のガス導管データおよび前記供給管のガス導管データの中から、前記抽出条件に合致するデータを抽出する抽出手段と
を備え、
前記第１の表示制御手段は、更に、前記抽出手段により抽出された前記ガス導管データに基づいて、前記ガス管経路の表示上に、特定の管に関する情報を強調表示し、
前記第２の表示制御手段は、更に、前記記憶手段から前記顧客データおよび前記供給管のガス導管データを読み出し、前記本支管および前記供給管のガス導管の標高値の縦断面図上に、ガス供給停止箇所に係る前記供給管と、他の前記本支管と交わる地点とを識別可能に重畳表示することを特徴とする復旧支援装置。
【請求項４】
本支管のガス導管の埋設深さ情報、埋設年月および管種と、前記本支管を一意に特定するための本支管識別情報とを含む本支管のガス導管データ、供給管のガス導管の埋設深さ情報、埋設年月および管種と、前記供給管に接続されている前記本支管に係る前記本支管識別情報と、前記供給管を一意に特定するための供給管識別情報とを含む供給管のガス導管データ、標高値を含む標高データ、ならびに顧客にガスを供給している前記供給管に係る前記供給管識別情報と、前記顧客のガスメータの稼働状況を示す顧客メータ稼働状況情報とを含む顧客データを記憶する記憶手段を有するコンピュータにより読み取り可能な形式で記述されたプログラムであって、
前記記憶手段に記憶されている前記本支管のガス導管データ、前記供給管のガス導管データおよび前記標高データに基づいて、前記ガス導管の標高値を算出する算出ステップと、
前記記憶手段から読み出した前記本支管のガス導管データおよび前記供給管のガス導管データに基づいて、ガス管経路の表示を制御する第１の表示制御ステップと、
前記ガス管経路の表示上で所定の区間を指定するとともに、前記本支管および前記供給管のガス導管の抽出条件を入力する入力ステップと、
前記入力ステップにより所定の区間が指定された場合、指定された所定の区間を通る最短経路上における前記本支管および前記供給管のガス導管の標高値を前記記憶手段から読み出し、前記本支管および前記供給管のガス導管の標高値の縦断面図上における表示を制御する第２の表示制御ステップと、
前記入力ステップにより前記抽出条件が入力された場合、前記記憶手段から読み出した前記本支管のガス導管データおよび前記供給管のガス導管データの中から、前記抽出条件に合致するデータを抽出する抽出ステップと
を含み、
前記第１の表示制御ステップは、更に、前記抽出ステップにより抽出された前記ガス導管データに基づいて、前記ガス管経路の表示上に、特定の管に関する情報を強調表示し、
前記第２の表示制御ステップは、更に、前記記憶手段から前記顧客データおよび前記供給管のガス導管データを読み出し、前記本支管および前記供給管のガス導管の標高値の縦断面図上に、ガス供給停止箇所に係る前記供給管と、他の前記本支管と交わる地点とを識別可能に重畳表示する処理をコンピュータに実行させるためのプログラム。
【発明の詳細な説明】
【技術分野】
【０００１】
本発明は、復旧支援システム等に関し、特に、都市ガスなどのガスを供給するガス導管内の漏水滞留箇所と漏水位置を、迅速かつ高精度に特定することが可能な復旧支援システム等に関するものである。
【背景技術】
【０００２】
ガス導管外周部に開口部が生じ、ガス導管内に水が流入してくる、いわゆる、差し水に起因して、ガス供給に支障が生じることがある。このような支障が生じると、復旧作業として、漏水滞留箇所を推定し、水抜き作業を行う。
【０００３】
そこで、特許文献１には、ガスメータによる湿度変化検知により、差し水の滞留箇所＝採水箇所を推定し、漏水の侵入範囲を特定することで、迅速な復旧を行うようにする技術が提案されている。
【先行技術文献】
【特許文献】
【０００４】
【特許文献１】特開２０００−２８３４００号公報
【発明の概要】
【発明が解決しようとする課題】
【０００５】
特許文献１の技術では、ガス導管の埋設深さ（地表からの深さ）を一定と仮定して、地表面の標高が低い位置に漏水が溜まりやすいと推定している。しかしながら、実際には、ガス導管の埋設深さは一定ではないため、漏水滞留箇所を高精度に推定することが困難である課題があった。
【０００６】
また、漏水箇所を、２次元領域（漏水流入範囲）として特定しているに過ぎず、漏水位置（ガス導管外周部に生じた開口部の位置）を高精度に推定することが困難である課題があった。
【０００７】
本発明は、前述した問題点に鑑みてなされたもので、その目的とすることは、ガス導管内の漏水滞留箇所と漏水位置を、迅速かつ高精度に特定することが可能な復旧支援システム等を提供することである。
【課題を解決するための手段】
【０００８】
前述した目的を達成するために、第１の発明は、サーバとクライアント端末がネットワークを介して接続される復旧支援システムにおいて、前記サーバは、本支管のガス導管の埋設深さ情報、埋設年月および管種と、前記本支管を一意に特定するための本支管識別情報とを含む本支管のガス導管データ、供給管のガス導管の埋設深さ情報、埋設年月および管種と、前記供給管に接続されている前記本支管に係る前記本支管識別情報と、前記供給管を一意に特定するための供給管識別情報とを含む供給管のガス導管データ、標高値を含む標高データ、ならびに顧客にガスを供給している前記供給管に係る前記供給管識別情報と、前記顧客のガスメータの稼働状況を示す顧客メータ稼働状況情報とを含む顧客データを記憶する記憶手段と、前記記憶手段に記憶されている前記本支管のガス導管データ、前記供給管のガス導管データおよび前記標高データに基づいて、前記ガス導管の標高値を算出する算出手段とを備え、前記クライアント端末は、前記サーバの前記記憶手段から受信した前記本支管のガス導管データおよび前記供給管のガス導管データに基づいて、ガス管経路の表示を制御する第１の表示制御手段と、前記ガス管経路の表示上で所定の区間を指定するとともに、前記本支管および前記供給管のガス導管の抽出条件を入力する入力手段と、前記入力手段により所定の区間が指定された場合、指定された所定の区間を通る最短経路上における前記本支管および前記供給管のガス導管の標高値を前記サーバから受信し、前記本支管および前記供給管のガス導管の標高値の縦断面図上における表示を制御する第２の表示制御手段と、前記入力手段により前記抽出条件が入力された場合、前記サーバから受信した前記本支管のガス導管データおよび前記供給管のガス導管データの中から、前記抽出条件に合致するデータを抽出する抽出手段とを備え、前記クライアント端末の第１の表示制御手段は、更に、前記抽出手段により抽出された前記ガス導管データに基づいて、前記ガス管経路の表示上に、特定の管に関する情報を強調表示し、前記クライアント端末の第２の表示制御手段は、更に、前記サーバから前記顧客データおよび前記供給管のガス導管データを受信し、前記本支管および前記供給管のガス導管の標高値の縦断面図上に、ガス供給停止箇所に係る前記供給管と、他の前記本支管と交わる地点とを識別可能に重畳表示することを特徴とする復旧支援システムである。
第１の発明によって、ガス導管が埋設されている標高値を表示することができ、ガス導管内の漏水滞留箇所を、迅速かつ高精度に特定することができる。また、ガス供給停止箇所を容易に把握することが可能となり、ひいては、漏水滞留箇所と漏水位置の正確な特定が可能となる。
【００１１】
第２の発明は、サーバとクライアント端末がネットワークを介して接続される復旧支援システムの復旧支援方法において、前記サーバは、本支管のガス導管の埋設深さ情報、埋設年月および管種と、前記本支管を一意に特定するための本支管識別情報とを含む本支管のガス導管データ、供給管のガス導管の埋設深さ情報、埋設年月および管種と、前記供給管に接続されている前記本支管に係る前記本支管識別情報と、前記供給管を一意に特定するための供給管識別情報とを含む供給管のガス導管データ、標高値を含む標高データ、ならびに顧客にガスを供給している前記供給管に係る前記供給管識別情報と、前記顧客のガスメータの稼働状況を示す顧客メータ稼働状況情報とを含む顧客データを記憶する記憶ステップと、前記記憶ステップで記憶された前記本支管のガス導管データ、前記供給管のガス導管データおよび前記標高データに基づいて、前記ガス導管の標高値を算出する算出ステップとを含み、前記クライアント端末は、前記サーバから受信した前記本支管のガス導管データおよび前記供給管のガス導管データに基づいて、ガス管経路の表示を制御する第１の表示制御ステップと、前記ガス管経路の表示上で所定の区間を指定するとともに、前記本支管および前記供給管のガス導管の抽出条件を入力する入力ステップと、前記入力ステップにより所定の区間が指定された場合、指定された所定の区間を通る最短経路上における前記本支管および前記供給管のガス導管の標高値を前記サーバから受信し、前記本支管および前記供給管のガス導管の標高値の縦断面図上における表示を制御する第２の表示制御ステップと、前記入力ステップにより前記抽出条件が入力された場合、前記サーバから受信した前記本支管のガス導管データおよび前記供給管のガス導管データの中から、前記抽出条件に合致するデータを抽出する抽出ステップとを含み、前記クライアント端末の第１の表示制御ステップは、更に、前記抽出ステップにより抽出された前記ガス導管データに基づいて、前記ガス管経路の表示上に、特定の管に関する情報を強調表示し、前記クライアント端末の第２の表示制御ステップは、更に、前記サーバから前記顧客データおよび前記供給管のガス導管データを受信し、前記本支管および前記供給管のガス導管の標高値の縦断面図上に、ガス供給停止箇所に係る前記供給管と、他の前記本支管と交わる地点とを識別可能に重畳表示することを特徴とする復旧支援方法である。
【００１２】
第３の発明は、本支管のガス導管の埋設深さ情報、埋設年月および管種と、前記本支管を一意に特定するための本支管識別情報とを含む本支管のガス導管データ、供給管のガス導管の埋設深さ情報、埋設年月および管種と、前記供給管に接続されている前記本支管に係る前記本支管識別情報と、前記供給管を一意に特定するための供給管識別情報とを含む供給管のガス導管データ、標高値を含む標高データ、ならびに顧客にガスを供給している前記供給管に係る前記供給管識別情報と、前記顧客のガスメータの稼働状況を示す顧客メータ稼働状況情報とを含む顧客データを記憶する記憶手段と、前記記憶手段に記憶されている前記本支管のガス導管データ、前記供給管のガス導管データおよび前記標高データに基づいて、前記ガス導管の標高値を算出する算出手段と、前記記憶手段から読み出した前記本支管のガス導管データおよび前記供給管のガス導管データに基づいて、ガス管経路の表示を制御する第１の表示制御手段と、前記ガス管経路の表示上で所定の区間を指定するとともに、前記本支管および前記供給管のガス導管の抽出条件を入力する入力手段と、前記入力手段により所定の区間が指定された場合、指定された所定の区間を通る最短経路上における前記本支管および前記供給管のガス導管の標高値を前記記憶手段から読み出し、前記本支管および前記供給管のガス導管の標高値の縦断面図上における表示を制御する第２の表示制御手段と、前記入力手段により前記抽出条件が入力された場合、前記記憶手段から読み出した前記本支管のガス導管データおよび前記供給管のガス導管データの中から、前記抽出条件に合致するデータを抽出する抽出手段とを備え、前記第１の表示制御手段は、更に、前記抽出手段により抽出された前記ガス導管データに基づいて、前記ガス管経路の表示上に、特定の管に関する情報を強調表示し、前記第２の表示制御手段は、更に、前記記憶手段から前記顧客データおよび前記供給管のガス導管データを読み出し、前記本支管および前記供給管のガス導管の標高値の縦断面図上に、ガス供給停止箇所に係る前記供給管と、他の前記本支管と交わる地点とを識別可能に重畳表示することを特徴とする復旧支援装置である。
第３の発明によって、ガス導管が埋設されている標高値を表示することができ、ガス導管内の漏水滞留箇所を、迅速かつ高精度に特定することができる。また、ガス供給停止箇所を容易に把握することが可能となる。
【００１５】
第４の発明は、本支管のガス導管の埋設深さ情報、埋設年月および管種と、前記本支管を一意に特定するための本支管識別情報とを含む本支管のガス導管データ、供給管のガス導管の埋設深さ情報、埋設年月および管種と、前記供給管に接続されている前記本支管に係る前記本支管識別情報と、前記供給管を一意に特定するための供給管識別情報とを含む供給管のガス導管データ、標高値を含む標高データ、ならびに顧客にガスを供給している前記供給管に係る前記供給管識別情報と、前記顧客のガスメータの稼働状況を示す顧客メータ稼働状況情報とを含む顧客データを記憶する記憶手段を有するコンピュータにより読み取り可能な形式で記述されたプログラムであって、前記記憶手段に記憶されている前記本支管のガス導管データ、前記供給管のガス導管データおよび前記標高データに基づいて、前記ガス導管の標高値を算出する算出ステップと、前記記憶手段から読み出した前記本支管のガス導管データおよび前記供給管のガス導管データに基づいて、ガス管経路の表示を制御する第１の表示制御ステップと、前記ガス管経路の表示上で所定の区間を指定するとともに、前記本支管および前記供給管のガス導管の抽出条件を入力する入力ステップと、前記入力ステップにより所定の区間が指定された場合、指定された所定の区間を通る最短経路上における前記本支管および前記供給管のガス導管の標高値を前記記憶手段から読み出し、前記本支管および前記供給管のガス導管の標高値の縦断面図上における表示を制御する第２の表示制御ステップと、前記入力ステップにより前記抽出条件が入力された場合、前記記憶手段から読み出した前記本支管のガス導管データおよび前記供給管のガス導管データの中から、前記抽出条件に合致するデータを抽出する抽出ステップとを含み、前記第１の表示制御ステップは、更に、前記抽出ステップにより抽出された前記ガス導管データに基づいて、前記ガス管経路の表示上に、特定の管に関する情報を強調表示し、前記第２の表示制御ステップは、更に、前記記憶手段から前記顧客データおよび前記供給管のガス導管データを読み出し、前記本支管および前記供給管のガス導管の標高値の縦断面図上に、ガス供給停止箇所に係る前記供給管と、他の前記本支管と交わる地点とを識別可能に重畳表示する処理をコンピュータに実行させるためのプログラムである。
【発明の効果】
【００１６】
本発明により、ガス導管が埋設されている標高値を表示することができ、ガス導管内の漏水滞留箇所を、迅速かつ高精度に特定することが可能な復旧支援システム等を提供することができる。
【図面の簡単な説明】
【００１７】
【図１】本発明の実施の形態としての復旧支援システムの構成例を示す図である。
【図２】データベースに記憶されるデータ例を示す図である。
【図３】ガス管経路画面およびガス導管の高低形状を模式的に表わす縦断面図の表示例を説明するための図である。
【図４】表示制御処理を説明するフローチャートである。
【図５】縦断面図の表示例を示す図である。
【図６】顧客情報画面の表示例を示す図である。
【図７】ガス管情報の表示制御処理を説明するフローチャートである。
【図８】ガス管経路画面の表示例を示す図である。
【発明を実施するための形態】
【００１８】
以下、図面に基づいて、本発明の実施形態を詳細に説明する。
［本発明の実施の形態］
図１は、本発明の実施の形態としての復旧支援システムの構成例を示す図である。この復旧支援システムは、地理情報システム（Geographic Information
System)の機能を有している。地理情報システムは、コンピュータ上に地図情報やさまざまな付加情報を持たせ、作成・保存・利用・管理し、地理情報を参照できるように表示・検索機能を兼ね備えている。
【００１９】
図１に示すように、復旧支援システムは、サーバ１、クライアント端末２、マイコン３−１、マイコン３−Ｎが、ネットワーク４を介して相互に接続されることで構成される。なお、クライアント端末２の数は、任意であり、複数設けることも勿論可能である。
【００２０】
サーバ１は、CPU（Central Processing
Unit）、ROM（Read Only Memory）、RAM（Random Access Memory）、HDD（Hard Disc Drive）などを実装したコンピュータであり、少なくとも、制御部１１、算出部１２、情報取得部１３、データベース１４、および通信制御部１５の機能を有する。
【００２１】
制御部１１は、プログラムの実行を行うCPUと、プログラム命令あるいはデータ等を格納するためのRAM、ROM等で構成される。制御部１１は、ROMや図示せぬ記憶部等に格納されたプログラムに従って各部を制御する。
【００２２】
算出部１２は、制御部１１の制御の下、データベース１４に記憶されているデータの中からガス導管データおよび標高値データを読み出し、ガス導管の標高値を算出する。
【００２３】
情報取得部１３は、ネットワーク４を介して接続されたマイコン３−１、３−Ｎから顧客メータ稼働状況情報および顧客情報などを取得する。情報取得部１３は、これらの情報を、ネットワーク４を介して取得するだけでなく、例えば、管理者が顧客からの入電結果を入力することによっても取得することができる。
【００２４】
データベース１４は、図２に示すように、標高データ１４Ａ、本支管のガス導管データ１４Ｂ、供給管のガス導管データ１４Ｃ、および顧客データ１４Ｄを記憶している。
【００２５】
標高データ１４Ａは、メッシュ単位にそれぞれ標高値が格納されているデータであり、例えば、国土地理院発行の数値地図（５ｍメッシュ）や基盤地図情報（１０ｍメッシュ）が採用されている。つまり、標高データ１４Ａは、少なくとも標高メッシュＩＤおよび標高値を含む。標高メッシュＩＤは、メッシュの位置を一意に特定するための識別情報（ユニークキー）である。標高値は、地表からの高さを表す情報であり、０．１ｍ単位で記録している。
【００２６】
本支管のガス導管データ１４Ｂは、本支管ＩＤ、埋設深さ情報、座標点列、管種、口径、および埋設年月を含む。本支管ＩＤは、当該本支管を一意に特定するための識別情報（ユニークキー）である。埋設深さ情報は、当該本支管の埋設深さを表す情報である。座標点列は、当該本支管が埋設されている位置を表すための座標の配列である。管種は、当該本支管の種別である。口径は、当該本支管の内径である。埋設年月は、当該本支管が埋設された年月である。
【００２７】
供給管のガス導管データ１４Ｃは、供給管ＩＤ、接続本支管ＩＤ、座標点列、管種、口径、および埋設年月を含む。供給管ＩＤは、当該供給管を一意に特定するための識別情報（ユニークキー）である。接続本支管ＩＤは、当該供給管に接続されている本支管を一意に特定するための識別情報である。座標点列は、当該供給管が埋設されている位置を表すための座標の配列である。管種は、当該供給管の種別である。口径は、当該供給管の内径である。埋設年月は、当該供給管が埋設された年月である。
【００２８】
顧客データ１４Ｄは、顧客ＩＤ、供給管ＩＤ、および顧客メータ稼働状況情報を含む。顧客ＩＤは、顧客を一意に特定するための識別情報である。供給管ＩＤは、当該顧客に供給している供給管を一意に特定するための識別情報である。顧客メータ稼働状況情報は、マイコン３−１、３−Ｎから取得したガスメータの稼働状況を表す情報である。
【００２９】
図１の説明に戻る。通信制御部１５は、通信制御装置、通信ポート等を有し、クライアント端末２やマイコン３−１、３−Ｎとネットワーク４間の通信を媒介する通信インターフェースであり、ネットワーク４を介して、クライアント端末２とサーバ１間の通信制御を行うとともに、マイコン３−１、３−Ｎとサーバ１間の通信制御を行う。
【００３０】
クライアント端末２は、CPU、ROM、RAMなどを実装したコンピュータであり、少なくとも、制御部２１、入力部２２、表示部２３、および通信制御部２４の機能を有する。
【００３１】
制御部２１は、プログラムの実行を行うCPUと、プログラム命令あるいはデータ等を格納するためのRAM、ROM等で構成される。制御部２１は、ROMに格納されたプログラムに従って各部を制御する。
【００３２】
入力部２２は、例えば、キーボード、マウス、ボタン、スイッチ、タッチパッドなどで構成され、ユーザにより入力された操作内容を、通信制御部２４を介してサーバ１に送信する。操作内容には、ガス管経路画面の表示要求、ガス導管の高低形状を模式的に表わす縦断面図の表示要求等がある。
【００３３】
表示部２３は、サーバ１から受信したガス管経路画面を表示したり、ガス導管の高低形状を模式的に表わす縦断面図を表示したり、その他各種操作画面等を表示する。
【００３４】
通信制御部２４は、通信制御装置、通信ポート等を有し、サーバ１とネットワーク４間の通信を媒介する通信インターフェースであり、ネットワーク４を介して、サーバ１とクライアント端末２間の通信制御を行う。
【００３５】
クライアント端末２は、例えば、営業所に設置されるパーソナルコンピュータや、作業者が携帯する携帯端末（スマートフォン、携帯電話機、携帯タブレット型端末、携帯型パーソナルコンピュータ等）である。
【００３６】
マイコン３−１は、顧客先に設置されており、少なくとも、メータ稼働状況検知部３１−１、顧客情報記憶部３２−１、および通信制御部３３−１の機能を有する。
【００３７】
メータ稼働状況検知部３１−１は、ガス供給量を計測するとともに、ガス供給に支障が生じている場合には、メータ稼働状況を検知する。計測したガス供給量や、メータ稼働状況は、サーバ１からの要求に応じて、通信制御部３３−１およびネットワーク４を介して送信される。
【００３８】
顧客情報記憶部３２−１は、当該顧客を一意に特定するための顧客ＩＤ、当該顧客先に供給されている供給管を一意に特定するための供給管ＩＤなどを記憶する。これら顧客情報は、サーバ１からの要求に応じて、通信制御部３３−１およびネットワーク４を介して送信される。ここで、供給管ＩＤは、ガスメータのメータＩＤによって特定されるＩＤである。供給管とメータが１対多に対応付けられており、供給管ＩＤは、複数のメータＩＤによって特定される。
【００３９】
通信制御部３３−１は、通信制御装置、通信ポート等を有し、サーバ１とネットワーク４間の通信を媒介する通信インターフェースであり、ネットワーク４を介して、サーバ１とマイコン３−１間の通信制御を行う。
【００４０】
マイコン３−Ｎの構成は、上述したマイコン３−１の構成と同様であるため、その説明は省略する。なお、Ｎは、顧客数を表す。
【００４１】
ネットワーク４は、インターネットやローカルエリアネットワーク（ＬＡＮ）等のネットワークであり、有線、無線は特に問わない。
【００４２】
次に、図３を参照して、ガス管経路画面およびガス導管の高低形状を模式的に表わす縦断面図の表示例について説明する。
【００４３】
クライアント端末２の表示部２３は、図３の左側に示すように、サーバ１から受信したガス管経路画面Ｐ１を表示する。ガス管経路画面Ｐ１には、ガス管経路が表示されている（図中実線）。
【００４４】
またこのガス管経路画面Ｐ１には、図３の右側に示すような、メッシュ形状の標高値データＤが重ね合わせられている。標高値データＤには、例えば、５ｍ×５ｍのメッシュ毎に標高値が格納されている。
【００４５】
さらにガス管経路画面Ｐ１には、図示していないが、色調の変化（赤色〜黄色〜青色）で標高が表現されている。例えば、標高値が高いほど赤色（Ｒ）が強調され、標高値が地表に近いほど青色（Ｂ）が強調されることで、２次元画面上でも標高値を容易に視認することが可能となる。
【００４６】
クライアント端末２の管理者は、入力部２２を用いて、ガス管経路画面Ｐ１上で点Ａと点Ｂを指示することにより所定の区間を指定する。サーバ１は、クライアント端末２で指定された点Ａと点Ｂの情報を受信し、点Ａと点Ｂを通る最短経路を探索する（図中太実線）。そして、サーバ１は、データベース１４を参照し、探索した最短経路上に該当するメッシュ標高値を標高データ１４Ａから連続的に取得する。これにより、図３の例では、標高メッシュＩＤであるＤ１〜Ｄ５に格納されている標高値が連続的に取得される。またサーバ１は、探索した最短経路上のガス導管の埋設深さ情報をデータベース１４のガス導管データ１４Ｂ、１４Ｃから取得する。
【００４７】
サーバ１は、取得した所定の区間の標高値とガス導管の埋設深さ情報に基づいて、ガス導管の標高値を算出する。そして、サーバ１は、算出結果に基づいて、矢印＃１と矢印＃２の先に示すように、ガス導管の高低形状を模式的に表わす縦断面図Ｐ２を生成する。縦断面図Ｐ２には、標高値Ｌ１（図中実線）およびガス導管の標高値Ｌ２（図中点線）が表示されている。
【００４８】
以上のように、ガス導管の標高値を示す縦断面図Ｐ２を容易に表示することができ、迅速かつ高精度に、標高値の低い箇所に埋設しているガス導管に漏水の滞留箇所があると特定することが可能となる。
【００４９】
図３の表示例では、ガス管経路（実線）と、クライアント端末２により指定された最短経路（太実線）の線種を変えるようにしたが、これに限らず、例えば、ガス管経路を青色で表示し、最短経路を赤色で表示するといったように、経路の表示色を変えるようにしてもよい。
【００５０】
次に、図４のフローチャートを参照して、復旧支援システムが実行する表示制御処理について説明する。
【００５１】
管理者がクライアント端末２の入力部２２を用いてガス管経路の表示を指示すると、ステップＳ１において、クライアント端末２の制御部２１は、サーバ１からネットワーク４を介してガス管経路画面Ｐ１（図３）のデータを受信し、表示部２３に表示させる。
【００５２】
ステップＳ２において、クライアント端末２の制御部２１は、サーバ１からネットワーク４を介して標高値データＤ（図３）をさらに受信し、ガス管経路画面Ｐ１上に重ね合わせる。なお、ステップＳ１とステップＳ２の処理を分けて説明したが、実際には、ガス管経路画面Ｐ１のデータと標高値データＤは同時に受信される。
【００５３】
ステップＳ３において、サーバ１の制御部１１は、ガス管経路画面Ｐ１上で所定区間（始点および終点）が指定されたか否かを判定し、所定区間が指定されるまで待機する。すなわち、クライアント端末２の制御部２１は、管理者が入力部２２を用いて所定区間（図３の例では点Ａと点Ｂ）を指定すると、その所定区間の情報を、ネットワーク４を介してサーバ１に送信する。サーバ１の制御部１１は、この所定区間の情報を受信したか否かによって、ステップＳ３の処理を判定する。
【００５４】
そして、ステップＳ３において、サーバ１の制御部１１は、ガス管経路画面Ｐ１上で所定区間が指定されたと判定した場合、ステップＳ４に進み、ガス管経路画面Ｐ１上で指定された２点を通る最短経路を探索し、経路を確定する（図３の太実線）。
【００５５】
ステップＳ５において、サーバ１の制御部１１は、ガス管経路画面Ｐ１上に重ね合わせられた標高値データＤのうち、ステップＳ４の処理で確定した経路上の標高メッシュＩＤを取得する（図３のＤ１〜Ｄ５）。ステップＳ６において、サーバ１の制御部１１は、データベース１４を参照し、ステップＳ５の処理で取得した標高メッシュＩＤに基づいて、標高データ１４Ａから標高値を取得する。ステップＳ７において、サーバ１の制御部１１は、縦断面図Ｐ２上にステップＳ６の処理で取得した標高値を表現する。
【００５６】
ステップＳ８において、サーバ１の制御部１１は、ステップＳ４の処理で確定した経路上の導管ＩＤを取得する。ステップＳ９において、サーバ１の制御部１１は、データベース１４を参照し、ステップＳ８の処理で取得した導管ＩＤに基づいて、ガス導管データ１４Ｂ、１４Ｃからガス導管の埋設深さ情報を取得する。
【００５７】
ステップＳ７とステップＳ９の処理の後、ステップＳ１０において、サーバ１の制御部１１は、ステップＳ６の処理で取得した標高値、および、ステップＳ９の処理で取得したガス導管の埋設深さ情報に基づいて、ガス導管の標高値を算出する。
【００５８】
ステップＳ１１において、サーバ１の制御部１１は、ステップＳ７の処理で標高値が表現された縦断面図Ｐ２上にガス導管の埋設深さ情報を加味する。すなわち、サーバ１の制御部１１は、標高値が表現された縦断面図Ｐ２上に、ステップＳ１０の処理で算出したガス導管の標高値をさらに表現する。
【００５９】
ステップＳ１２において、サーバ１の制御部１１は、データベース１４を参照し、ステップＳ４の処理で確定した経路上の座標値に基づいて、ガス導管データ１４Ｂに含まれる本支管ＩＤ、およびガス導管データ１４Ｃに含まれる供給管ＩＤを抽出する。ステップＳ１３において、サーバ１の制御部１１は、さらにデータベース１４を参照し、ステップＳ１２の処理で抽出した供給管ＩＤに基づいて、顧客データ１４Ｄに含まれる顧客メータ稼働状況情報を取得する。すなわち、サーバ１の制御部１１は、抽出した供給管ＩＤに関する供給管によってガスが供給されている複数の顧客に関する顧客メータ稼働状況情報を取得する。
【００６０】
ステップＳ１４において、サーバ１の制御部１１は、縦断面図Ｐ２上に、ステップＳ１３の処理で取得した顧客メータ稼働状況を反映させる。そして、サーバ１の制御部１１は、標高値およびガス導管の標高値が表現され、かつ、顧客メータ稼働状況が反映された縦断面図Ｐ２のデータを、通信制御部１５およびネットワーク４を介してクライアント端末２に送信する。これにより、クライアント端末２の制御部２１は、通信制御部２４を介して、例えば、図５に示すような縦断面図Ｐ３のデータを受信する。そして、クライアント端末２の制御部２１は、表示部２３において、ガス導管の標高値の縦断面図Ｐ３に、顧客メータ稼働状況（ガス供給停止箇所に関する情報）を重畳表示する。
【００６１】
図５に示す縦断面図Ｐ３の表示例では、標高値Ｌ１（図中実線）およびガス導管の標高値Ｌ２（図中点線）が表示されているとともに、ガス導管の標高値Ｌ２上に、供給管取出地点がマークＭ１（○）で表示され、他の本支管と交わる地点がマークＭ２（△）で表示され、ガス供給が停止中の供給管がマークＭ３（●）で表示されている。
【００６２】
図５の表示例では、供給管取出地点のマークＭ１（○）、他の本支管と交わる地点のマークＭ２（△）、ガス供給が停止中の供給管のマークＭ３（●）の形状を変えるようにしたが、これに限らず、例えば、マークＭ１を赤色の丸印、マークＭ２を青色の丸印、マークＭ３を黄色の丸印でそれぞれ表示するといったように、マークの表示色を変えるようにしてもよい。
【００６３】
クライアント端末２の管理者は、図５に示した縦断面図Ｐ３において、入力部２２を用いてマークＭ３を選択すると、例えば、図６に示すような顧客情報画面Ｗを表示させることができる。
【００６４】
図６に示す顧客情報画面Ｗの表示例では、お客様情報、お客さま名、ガスメータ号数、およびメータ稼働状況が表示されている。これにより、お客様情報を得ることができる。
【００６５】
以上のように、標高値とガス導管の埋設深さ情報からガス導管の標高値を表示することができ、さらに、顧客メータ稼働状況をも表示することが可能となる。
【００６６】
以上においては、ステップＳ１２乃至Ｓ１４の処理を一連の流れで説明したが、これらの処理は必須ではなく、クライアント端末２からの要求に応じて行われるようにしてもよい。
【００６７】
次に、図７のフローチャートを参照して、ガス導管情報の表示制御処理について説明する。
【００６８】
クライアント端末２の管理者は、図示せぬ条件入力画面にて、ガス導管の埋設年月および管種のうち、少なくとも１つを抽出条件として入力することにより、特定のガス導管を抽出し、ガス導管情報を表示することができる。
【００６９】
ステップＳ２１において、サーバ１の制御部１１は、クライアント端末２から、ガス導管の埋設年月および管種のうち、少なくとも１つが条件として入力されたか否かを判定し、条件が入力されるまで待機する。そして、ステップＳ２１において、サーバ１の制御部１１は、クライアント端末２から条件が入力されたと判定した場合、ステップＳ２２に進み、データベース１４を参照し、ガス導管データ（本支管）１４Ｂ、ガス導管データ（供給管）１４Ｃの中から、入力条件（埋設年月・管種）に合致するＩＤを取得する。
【００７０】
ステップＳ２３において、サーバ１の制御部１１は、ステップＳ２２の処理で抽出されたＩＤに基づいて、特定のガス導管を強調表示させたガス導管情報画面のデータを生成する。そして、サーバ１の制御部１１は、ガス導管情報画面のデータを、通信制御部１５およびネットワーク４を介してクライアント端末２に送信する。これにより、クライアント端末２の制御部２１は、通信制御部２４を介して、例えば、図８に示すようなガス導管情報画面Ｐ４のデータを受信し、表示部２３に表示させることができる。
【００７１】
図８に示すガス導管情報画面Ｐ４の表示例では、ガス管経路が表示されており（図中点線）、入力条件で抽出された特定のガス導管が強調表示されている（図中太実線）。
【００７２】
以上のように、特定の条件に合致するガス導管を抽出することで、水流入箇所の推定を行うことができる。
【００７３】
［発明の実施の形態における効果］
１．以上のように、標高値とガス導管の埋設深さ情報からガス導管の標高値を算出することで、ガス導管の標高値を示す縦断面図Ｐ２（図３）を容易に表示することができる。これにより、迅速かつ高精度に、標高値の低い箇所に埋設しているガス導管に漏水の滞留箇所があると特定することが可能となる。
【００７４】
２．また、ガス導管の標高値を示す縦断面図Ｐ２上に、さらに、供給管取出地点、他の本支管と交わる地点、およびガス供給が停止中の供給管を表示することで（図５）、水滞留可能性箇所をより推測しやすいものにすることができる。
【００７５】
３．ガス管経路画面Ｐ１に座標点列からなる標高値データＤを重ね合わせることで、メッシュ標高値を連続的に取得することができ、ガス導管の漏水の滞留箇所を細かい単位で確認することが可能となる。
【００７６】
４．顧客情報を利用することにより、ガス導管の漏水の滞留箇所と漏水位置の正確な特定が可能となる。
【００７７】
［変形例］
以上においては、ガス導管経路画面Ｐ１や縦断面図Ｐ２などをクライアント端末２の表示部２３に表示させるようにしたが、これに限らず、サーバ１側に表示部や入力部を設け、サーバ１側で画面表示や、所定区間の指定を行うようにしてもよい。この場合、クライアント端末２は特に必要としない。
【００７８】
以上、添付図面を参照しながら、本発明に係る復旧支援システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００７９】
１………サーバ
２………クライアント端末
４………ネットワーク
１１………制御部
１２………算出部
１４………データベース
２２………入力部
２３………表示部
【図１】
0005629546.tif 000002
【図２】
0005629546.tif 000003
【図３】
0005629546.tif 000004
【図４】
0005629546.tif 000005
【図５】
0005629546.tif 000006
【図６】
0005629546.tif 000007
【図７】
0005629546.tif 000008
【図８】
0005629546.tif 000009